(57)【特許請求の範囲】
【請求項１】
原稿シートが載置される原稿載置部と、
前記原稿載置部から延設され、所定の原稿読取位置を通過するように前記原稿シートが搬送されるシート搬送路と、
前記原稿読取位置を通過した前記原稿シートが排出される原稿排紙部と、
前記原稿読取位置に対向して配置され、前記原稿シートの第１の面の画像を読み取る第１読取部と、
前記第１読取部に対向して配置される第１白色基準部材と、
前記原稿読取位置と前記原稿載置部との間において前記シート搬送路に対向して配置され、前記原稿シートの前記第１の面とは反対の第２の面の画像を読み取る第２読取部と、
前記第２読取部に対向して配置された第２白色基準部材と、
前記第１読取部および前記第２読取部を制御する読取制御部と、
を有し、
前記読取制御部は、前記原稿シートの前記第１の面および前記第２の面の画像が読み取られる両面読取時において、前記原稿シートが前記シート搬送路に搬入される前に、前記第１読取部および前記第２読取部によって前記第１白色基準部材および前記第２白色基準部材を読み取らせることによって、前記第１読取部および前記第２読取部のシェーディング補正を実行し、前記原稿シートの前記第１の面の画像のみが読み取られる片面読取時には、前記原稿シートが前記シート搬送路に搬入される前に、前記第２読取部のシェーディング補正を実行することなく、前記第１読取部によって前記第１白色基準部材を読み取らせることによって、前記第１読取部のシェーディング補正を実行し、
前記読取制御部は、前記第１読取部によって前記第１白色基準部材を読み取らせることによって、前記第１読取部のシェーディング補正を実行した後、前記原稿シートに対する読取動作が前記両面読取および前記片面読取のいずれであるかを判断し、前記読取動作が前記両面読取の場合には、更に前記第２読取部によって前記第２白色基準部材を読み取らせることによって、前記第２読取部のシェーディング補正を実行した後、前記原稿シートを前記シート搬送路に搬入させ、前記読取動作が前記片面読取の場合には、前記第２読取部のシェーディング補正を実行することなく、前記原稿シートを前記シート搬送路に搬入させることを特徴とする画像読取装置。
【請求項２】
前記原稿載置部に載置された複数の前記原稿シートが連続して前記シート搬送路に搬入されながら、前記両面読取が実行される連続両面読取時において、前記読取制御部は、第１の原稿シートの画像読取動作と前記第１の原稿シートに続く第２の原稿シートの画像読取動作との間で、前記第１読取部または前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させることを特徴とする請求項１に記載の画像読取装置。
【請求項３】
前記読取制御部は、前記第１の原稿シートの画像読取動作と前記第２の原稿シートの画像読取動作との間で、前記第１読取部の前記シェーディング補正判断動作を実行することを特徴とする請求項２に記載の画像読取装置。
【請求項４】
前記読取制御部は、前記第１の原稿シートの画像読取動作と前記第２の原稿シートの画像読取動作との間で、前記第２読取部の前記シェーディング補正判断動作を実行することを特徴とする請求項２に記載の画像読取装置。
【請求項５】
前記原稿載置部に載置された複数の前記原稿シートが連続して前記シート搬送路に搬入されながら、前記両面読取が実行される連続両面読取時において、前記読取制御部は、第１の原稿シートの画像読取動作と前記第１の原稿シートに続く第２の原稿シートの画像読取動作との間で、前記第１読取部および前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させることを特徴とする請求項１に記載の画像読取装置。
【請求項６】
原稿シートが載置される原稿載置部と、
前記原稿載置部から延設され、所定の原稿読取位置を通過するように前記原稿シートが搬送されるシート搬送路と、
前記原稿読取位置を通過した前記原稿シートが排出される原稿排紙部と、
前記原稿読取位置に対向して配置され、前記原稿シートの第１の面の画像を読み取る第１読取部と、
前記第１読取部に対向して配置される第１白色基準部材と、
前記原稿読取位置と前記原稿載置部との間において前記シート搬送路に対向して配置され、前記原稿シートの前記第１の面とは反対の第２の面の画像を読み取る第２読取部と、
前記第２読取部に対向して配置された第２白色基準部材と、
前記第１読取部および前記第２読取部を制御する読取制御部と、
を有し、
前記読取制御部は、前記原稿シートの前記第１の面および前記第２の面の画像が読み取られる両面読取時において、前記原稿シートが前記シート搬送路に搬入される前に、前記第１読取部および前記第２読取部によって前記第１白色基準部材および前記第２白色基準部材を読み取らせることによって、前記第１読取部および前記第２読取部のシェーディング補正を実行し、前記原稿シートの前記第１の面の画像のみが読み取られる片面読取時には、前記原稿シートが前記シート搬送路に搬入される前に、前記第２読取部のシェーディング補正を実行することなく、前記第１読取部によって前記第１白色基準部材を読み取らせることによって、前記第１読取部のシェーディング補正を実行し、
前記原稿載置部に載置された複数の前記原稿シートが連続して前記シート搬送路に搬入されながら、前記両面読取が実行される連続両面読取時において、前記読取制御部は、第１の原稿シートの画像読取動作と前記第１の原稿シートに続く第２の原稿シートの画像読取動作との間で、前記第１読取部または前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させ、
前記第１読取部が前記原稿シートの前記第１の面の画像を読み取るために、前記原稿シートに照射される照射光を発光する第１光源と、
前記第２読取部が前記原稿シートの前記第２の面の画像を読み取るために、前記原稿シートに照射される照射光を発光する第２光源と、
を更に有し、
前記読取制御部は、前記シェーディング補正判断動作時において、前記第１光源が発光され前記第１読取部が前記第１白色基準部材を読み取った際または前記第２光源が発光され前記第２読取部が前記第２白色基準部材を読み取った際に出力する第１出力値、および、前記第１光源または前記第２光源が消灯された際に前記第１読取部または前記第２読取部が出力する第２出力値のうちのいずれかが、予め設定された閾値を超えた場合に、前記第１読取部または前記第２読取部において前記シェーディング補正が必要であると判断することを特徴とする画像読取装置。
【請求項７】
前記読取制御部は、前記連続両面読取時において、前記原稿シートの画像読取動作が、予め定められた閾値枚数に対して実行されると、前記シェーディング補正判断動作を実行することを特徴とする請求項２乃至６の何れか１項に記載の画像読取装置。
【請求項８】
原稿シートが載置される原稿載置部と、
前記原稿載置部から延設され、所定の原稿読取位置を通過するように前記原稿シートが搬送されるシート搬送路と、
前記原稿読取位置を通過した前記原稿シートが排出される原稿排紙部と、
前記原稿読取位置に対向して配置され、前記原稿シートの第１の面の画像を読み取る第１読取部と、
前記第１読取部に対向して配置される第１白色基準部材と、
前記原稿読取位置と前記原稿載置部との間において前記シート搬送路に対向して配置され、前記原稿シートの前記第１の面とは反対の第２の面の画像を読み取る第２読取部と、
前記第２読取部に対向して配置された第２白色基準部材と、
前記第１読取部および前記第２読取部を制御する読取制御部と、
を有し、
前記読取制御部は、前記原稿シートの前記第１の面および前記第２の面の画像が読み取られる両面読取時において、前記原稿シートが前記シート搬送路に搬入される前に、前記第１読取部および前記第２読取部によって前記第１白色基準部材および前記第２白色基準部材を読み取らせることによって、前記第１読取部および前記第２読取部のシェーディング補正を実行し、前記原稿シートの前記第１の面の画像のみが読み取られる片面読取時には、前記原稿シートが前記シート搬送路に搬入される前に、前記第２読取部のシェーディング補正を実行することなく、前記第１読取部によって前記第１白色基準部材を読み取らせることによって、前記第１読取部のシェーディング補正を実行し、
前記原稿載置部に載置された複数の前記原稿シートが連続して前記シート搬送路に搬入されながら、前記両面読取が実行される連続両面読取時において、前記読取制御部は、第１の原稿シートの画像読取動作と前記第１の原稿シートに続く第２の原稿シートの画像読取動作との間で、前記第１読取部または前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させ、
前記読取制御部は、前記連続両面読取時において、前記原稿シートの画像読取動作が、予め定められた閾値枚数に対して実行されると、前記シェーディング補正判断動作を実行し、
前記第１読取部または前記第２読取部においてカラー画像が読み取られる場合の前記閾値枚数は、前記第１読取部または前記第２読取部において白黒画像が読み取られる場合の前記閾値枚数よりも小さく設定されていることを特徴とする画像読取装置。
【請求項９】
原稿シートが載置される原稿載置部と、
前記原稿載置部から延設され、所定の原稿読取位置を通過するように前記原稿シートが搬送されるシート搬送路と、
前記原稿読取位置を通過した前記原稿シートが排出される原稿排紙部と、
前記原稿読取位置に対向して配置され、前記原稿シートの第１の面の画像を読み取る第１読取部と、
前記第１読取部に対向して配置される第１白色基準部材と、
前記原稿読取位置と前記原稿載置部との間において前記シート搬送路に対向して配置され、前記原稿シートの前記第１の面とは反対の第２の面の画像を読み取る第２読取部と、
前記第２読取部に対向して配置された第２白色基準部材と、
前記第１読取部および前記第２読取部を制御する読取制御部と、
を有し、
前記読取制御部は、前記原稿シートの前記第１の面および前記第２の面の画像が読み取られる両面読取時において、前記原稿シートが前記シート搬送路に搬入される前に、前記第１読取部および前記第２読取部によって前記第１白色基準部材および前記第２白色基準部材を読み取らせることによって、前記第１読取部および前記第２読取部のシェーディング補正を実行し、前記原稿シートの前記第１の面の画像のみが読み取られる片面読取時には、前記原稿シートが前記シート搬送路に搬入される前に、前記第２読取部のシェーディング補正を実行することなく、前記第１読取部によって前記第１白色基準部材を読み取らせることによって、前記第１読取部のシェーディング補正を実行し、
前記原稿載置部に載置された複数の前記原稿シートが連続して前記シート搬送路に搬入されながら、前記両面読取が実行される連続両面読取時において、前記読取制御部は、第１の原稿シートの画像読取動作と前記第１の原稿シートに続く第２の原稿シートの画像読取動作との間で、前記第１読取部または前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させ、
前記読取制御部は、前記連続両面読取時において、前記原稿シートの画像読取動作が、予め定められた閾値枚数に対して実行されると、前記シェーディング補正判断動作を実行し、
前記第１読取部または前記第２読取部において第１の解像度で画像が読み取られる場合の前記閾値枚数は、前記第１読取部または前記第２読取部において前記第１の解像度よりも小さな第２の解像度で画像が読み取られる場合の前記閾値枚数よりも小さく設定されていることを特徴とする画像読取装置。
【請求項１０】
前記第２白色基準部材は、前記シート搬送路を挟んで前記第２読取部に対向して配置され、
前記第２白色基準部材を、前記原稿シートの搬送方向と直交する主走査方向に移動させる移動機構を更に有し、
前記第２読取部のシェーディング補正において、前記移動機構が前記第２白色基準部材を前記主走査方向に移動させながら、前記第２読取部が前記第２白色基準部材を読み取ることを特徴とする請求項１乃至９の何れか１項に記載の画像読取装置。
【請求項１１】
請求項１乃至１０の何れか１項に記載の画像読取装置と、
前記第１読取部または前記第２読取部によって読み取られた原稿画像に基づいて、シートに画像を形成する画像形成部と、
を有することを特徴とする画像形成装置。
【発明の詳細な説明】
【技術分野】
【０００１】
本発明は、画像読取装置およびこれを備えた画像形成装置に関する。
【背景技術】
【０００２】
従来、光源から原稿に光を照射し、その反射光を受光素子により受光して原稿の画像データの読取を行う画像読取装置が知られている。このような画像読取装置では、受光素子の感度ムラや光源の光量ムラに関わらず均一な濃度で画像データの読取を行うため、受光素子毎に白色基準部材を読み取ることにより白色基準データが取得される。
【０００３】
また、原稿が搬送される際に、原稿の表面および裏面の画像データを同時に読み取る画像読取装置が知られている。画像読取装置は、表面用の読取部と裏面用の読取部とを備える。特許文献１では、裏面用の読取部に対応して配置された白色基準部材がベルト部材から構成される。ベルト状の白色基準部材が回動されることで、読取部と白色基準部材との相対的な位置が変化し、複数の白色基準データが取得される。
【先行技術文献】
【特許文献】
【０００４】
【特許文献１】特開２００９−１３０８９０号公報
【発明の概要】
【発明が解決しようとする課題】
【０００５】
特許文献１に記載された技術では、表面用および裏面用の２つの読取部のシェーディング補正が定期的に実行されると、複数の原稿シートの連続読取動作の読取生産性が低下するという問題があった。
【０００６】
本発明は、上記課題に鑑みてなされたものであり、１度の通紙において両面の原稿画像を読取可能な画像読取装置およびこれを備えた画像形成装置において、連続読取時の読取生産性が低下することを抑制することを目的とする。
【課題を解決するための手段】
【０００７】
本発明の一局面に係る画像読取装置は、原稿シートが載置される原稿載置部と、前記原稿載置部から延設され、所定の原稿読取位置を通過するように前記原稿シートが搬送されるシート搬送路と、前記原稿読取位置を通過した前記原稿シートが排出される原稿排紙部と、前記原稿読取位置に対向して配置され、前記原稿シートの第１の面の画像を読み取る第１読取部と、前記第１読取部に対向して配置される第１白色基準部材と、前記原稿読取位置と前記原稿載置部との間において前記シート搬送路に対向して配置され、前記原稿シートの前記第１の面とは反対の第２の面の画像を読み取る第２読取部と、前記第２読取部に対向して配置された第２白色基準部材と、前記第１読取部および前記第２読取部を制御する読取制御部と、を有し、前記読取制御部は、前記原稿シートの前記第１の面および前記第２の面の画像が読み取られる両面読取時において、前記原稿シートが前記シート搬送路に搬入される前に、前記第１読取部および前記第２読取部によって前記第１白色基準部材および前記第２白色基準部材を読み取らせることによって、前記第１読取部および前記第２読取部のシェーディング補正を実行し、前記原稿シートの前記第１の面の画像のみが読み取られる片面読取時には、前記原稿シートが前記シート搬送路に搬入される前に、前記第２読取部のシェーディング補正を実行することなく、前記第１読取部によって前記第１白色基準部材を読み取らせることによって、前記第１読取部のシェーディング補正を実行することを特徴とする。
【０００８】
本構成によれば、画像読取動作の種類に応じて、第１読取部および第２読取部のシェーディング補正が実行されるため、連続読取動作の読取生産性が低下することが抑止される。
【０００９】
上記の構成において、前記読取制御部は、前記第１読取部によって前記第１白色基準部材を読み取らせることによって、前記第１読取部のシェーディング補正を実行した後、前記読取動作が前記両面読取および前記片面読取のいずれであるかを判断し、前記読取動作が前記両面読取の場合には、更に前記第２読取部によって前記第２白色基準部材を読み取らせることによって、前記第２読取部のシェーディング補正を実行した後、前記原稿シートを前記シート搬送路に搬入させ、前記読取動作が前記片面読取の場合には、前記第２読取部のシェーディング補正を実行することなく、前記原稿シートを前記シート搬送路に搬入させるものでもよい。
【００１０】
本構成によれば、画像読取動作要求がなされると、速やかに第１読取部のシェーディング補正が実行される。そして、画像読取動作が両面読取であると判断されると、第２読取部のシェーディング補正が実行される。この結果、連続読取動作の読取生産性が低下することが更に抑止される。
【００１１】
上記の構成において、前記原稿載置部に載置された複数の前記原稿シートが連続して前記シート搬送路に搬入されながら、前記両面読取が実行される連続両面読取時において、前記読取制御部は、第１の原稿シートの画像読取動作と前第１の原稿シートに続く第２の原稿シートの画像読取動作との間で、前記第１読取部または前記第２読取部のシェーディング補正の要否を判断するシェーディング補正判断動作を実行し、前記第１読取部または前記第２読取部においてシェーディング補正が必要と判断された場合に、前記第２の原稿シートの前記シート搬送路への搬入を中断した状態で、前記第１読取部および前記第２読取部のシェーディング補正を実行した後、前記第２の原稿シートを前記シート搬送路に搬入させるものでもよい。
【００１２】
本構成によれば、第１読取部および第２読取部の少なくとも一方においてシェーディング補正が必要と判断されると、第２の原稿シートの搬入が中断された時間を利用して、第１読取部および第２読取部のシェーディング補正が実行される。このため、画像読取装置の読取生産性が低下することが抑止されながら、読取品質が安定して維持される。
【００１３】
上記の構成において、前記読取制御部は、前記第１の原稿シートの画像読取動作と前記第２の原稿シートの画像読取動作との間で、前記第１読取部の前記シェーディング補正判断動作を実行するものでもよい。
【００１４】
本構成によれば、第１読取部のシェーディング補正判断動作に基づいて、第１読取部および第２読取部のシェーディング補正が実行可能とされる。
【００１５】
上記の構成において、前記読取制御部は、前記第１の原稿シートの画像読取動作と前記第２の原稿シートの画像読取動作との間で、前記第２読取部の前記シェーディング補正判断動作を実行するものでもよい。
【００１６】
本構成によれば、第２読取部のシェーディング補正判断動作に基づいて、第１読取部および第２読取部のシェーディング補正が実行可能とされる。
【００１７】
上記の構成において、前記読取制御部は、前記第１の原稿シートの画像読取動作と前記第２の原稿シートの画像読取動作との間で、前記第１読取部および前記第２読取部の前記シェーディング補正判断動作を実行するものでもよい。
【００１８】
本構成によれば、第１読取部および第２読取部のシェーディング補正判断動作に基づいて、第１読取部および第２読取部のシェーディング補正が実行可能とされる。
【００１９】
上記の構成において、前記第１読取部が前記原稿画像を読み取るために、前記原稿シートに照射される照射光を発光する第１光源と、前記第２読取部が前記原稿画像を読み取るために、前記原稿シートに照射される照射光を発光する第２光源と、を更に有し、前記読取制御部は、前記シェーディング補正判断動作時において、前記第１読取部または前記第２読取部が前記第１白色基準部材または前記第２白色基準部材を読み取った際に出力する第１出力値、および、前記第１光源または前記第２光源が消灯された際に前記第１読取部または前記第２読取部が出力する第２出力値のうちのいずれかが、予め設定された閾値を超えた場合に、前記第１読取部または前記第２読取部において前記シェーディング補正が必要であると判断するものでもよい。
【００２０】
本構成によれば、白色読取レベルまたは黒色読取レベルの変動に基づいて、シェーディング補正の要否が判断される。
【００２１】
上記の構成において、前記読取制御部は、前記連続両面読取時において、前記原稿シートの画像読取動作が、予め定められた閾値枚数に対して実行されると、前記シェーディング補正判断動作を実行するものでもよい。
【００２２】
本構成によれば、予め定められた閾値枚数の画像読取が実行されると、シェーディング補正判断動作が実行される。このため、第１読取部または第２読取部の温度特性によって、読取画像に欠陥が生じることが防止される。
【００２３】
上記の構成において、前記第１読取部または前記第２読取部においてカラー画像が読み取られる場合の前記閾値枚数は、前記第１読取部または前記第２読取部において白黒画像が読み取られる場合の前記閾値枚数よりも小さく設定されていることが望ましい。
【００２４】
本構成によれば、カラー画像の読取動作に対して、より安定したシェーディング補正が実行される。
【００２５】
上記の構成において、前記第１読取部または前記第２読取部において第１の解像度で画像が読み取られる場合の前記閾値枚数は、前記第１読取部または前記第２読取部において前記第１の解像度よりも小さな第２の解像度で画像が読み取られる場合の前記閾値枚数よりも小さく設定されていることが望ましい。
【００２６】
本構成によれば、高解像度の読取動作に対して、より安定したシェーディング補正が実行される。
【００２７】
上記の構成において、前記第２白色基準部材は、前記シート搬送路を挟んで前記第２読取部に対向して配置され、前記第２白色基準部材を、前記原稿シートの搬送方向と直交する主走査方向に移動させる移動機構を更に有し、前記第２読取部のシェーディング補正において、前記移動機構が前記第２白色基準部材を前記主走査方向に移動させながら、前記第２読取部が前記第２白色基準部材を読み取ることが望ましい。
【００２８】
本構成によれば、第２白色基準部材が主走査方向に移動されることで、第２読取部のシェーディング補正が実行可能とされる。このため、第２白色基準部材として板状部材を採用することが可能となり、白色基準部材がローラーやベルト部材からなる場合と比較して、画像読取装置が安価に構成される。
【００２９】
本発明の他の局面に係る画像形成装置は、上記の何れか１に記載の画像読取装置と、前記第１読取部または前記第２読取部によって読み取られた原稿画像に基づいて、シートに画像を形成する画像形成部と、を有することを特徴とする。
【００３０】
本構成によれば、画像読取装置の連続読取時の読取生産性が低下することを抑制することができる。この結果、シートに画像を形成する画像形成装置の生産性が高く維持される。
【発明の効果】
【００３１】
本発明によれば、１度の通紙において両面の原稿画像を読取可能な画像読取装置およびこれを備えた画像形成装置において、連続読取時の読取生産性が低下することを抑制することができる。
【図面の簡単な説明】
【００３２】
【図１】本発明の一実施形態に係る画像形成装置の内部構造を示す断面図である。
【図２】本発明の一実施形態に係る画像読取装置の斜視図である。
【図３】本発明の一実施形態に係る画像読取装置の原稿載置面の上面図である。
【図４】本発明の一実施形態に係る画像読取装置の原稿搬送部の断面図である。
【図５】本発明の一実施形態に係る画像読取装置の第１白色基準部材の周辺の断面図である。
【図６】本発明の一実施形態に係る画像読取装置の第２白色基準部材の周辺の側面図である。
【図７】本発明の一実施形態に係る画像読取装置の第２白色基準部材の移動機構の概略図である。
【図８】本発明の一実施形態に係る画像読取装置の電気的な構成を示すブロック図である。
【図９】本発明の一実施形態に係る画像読取装置において実行されるシェーディング補正動作のフローチャートである。
【発明を実施するための形態】
【００３３】
以下、図面に基づいて、本発明の実施形態につき詳細に説明する。
【００３４】
＜画像形成装置の構成＞
まず、本発明の一実施形態に係る画像形成装置１の構成について、図１を参照して説明する。図１は、画像形成装置１の内部構造を示す断面図である。
【００３５】
図１を参照して、画像形成装置１は、複写機であり、筐体構造を備えた本体ハウジング１０を含む。本体ハウジング１０内には、画像読取装置２と、給紙部２０と、画像形成部３０と、転写部４０と、補給部５０と、定着部６０と、が配置される。
【００３６】
本体ハウジング１０は、略直方体形状の筐体構造を備えた上部筐体１１及び下部筐体１２と、連結筐体１３と、を備える。本体ハウジング１０は、上部筐体１１と上部筐体１１の下方に配置された下部筐体１２とが連結筐体１３によって連結されることにより構成される。上部筐体１１、下部筐体１２及び連結筐体１３により囲まれた領域は、画像形成処理後のシートが排出される排紙空間１０Ａとして構成される。
【００３７】
図１を参照して、給紙部２０は、画像形成処理が施されるシートを収容し、当該シートを給紙するための部分である。給紙部２０は、下部筐体１２内に配置され、シート束を収容するための給紙カセット２１と、当該給紙カセット２１の近傍に配置されたピックアップローラー２２及び給紙ローラー対２３と、を備える。
【００３８】
給紙カセット２１は、シートの補給等の際に下部筐体１２から正面方向に引き出される。ピックアップローラー２２は、給紙カセット２１に収容されたシート束を最上面から１枚ずつ繰り出す。給紙ローラー対２３は、ピックアップローラー２２により繰り出されたシートをシート搬送路側へ送り出す。
【００３９】
画像形成部３０は、画像読取装置２の後記の読取部３および裏面読取部８０６によって取得される原稿の画像データに基づいて、シートに転写されるトナー像を形成する。画像形成部３０は、異なる色のトナー像を形成する複数の画像形成ユニットとして、イエロー（Ｙ）色の現像剤を用いるイエロー用ユニット３０Ｙと、マゼンダ（Ｍ）色の現像剤を用いるマゼンダ用ユニット３０Ｍと、シアン（Ｃ）色の現像剤を用いるシアン用ユニット３０Ｃと、ブラック（Ｂｋ）色の現像剤を用いるブラック用ユニット３０Ｂｋと、を備える。画像形成ユニット３０Ｙ，３０Ｍ，３０Ｃ，３０Ｂｋは、後述する中間転写ベルト４１の回転方向上流側から下流側に向かって順に配置される。
【００４０】
各画像形成ユニット３０Ｙ，３０Ｍ，３０Ｃ，３０Ｂｋは、感光体ドラム３１と、感光体ドラム３１の周囲に配置された帯電装置３２と、現像装置３４と、一次転写ローラー３５と、クリーニング装置３６と、を備える。また画像形成部３０は、画像形成ユニット３０Ｙ，３０Ｍ，３０Ｃ，３０Ｂｋの下方に配置される露光装置３３をさらに備える。
【００４１】
感光体ドラム３１は、アモルファスシリコン（ａ−Ｓｉ）系の材料からなり、その周面に静電潜像及びトナー像が形成される。帯電装置３２は、感光体ドラム３１の表面を均一に帯電させる。露光装置３３は、光源やミラー等の各種光学機器を備える。露光装置３３は、帯電装置３２により均一に帯電した感光体ドラム３１の周面に対して、画像読取装置２によって取得された原稿の画像データに基づく光を照射することにより、静電潜像を形成する。
【００４２】
現像装置３４は、静電潜像が形成された感光体ドラム３１に現像剤であるトナーを供給することにより当該静電潜像を現像する。現像装置３４は、トナーを収容する現像ハウジング３４Ａと、周面においてトナーを担持し、当該トナーを感光体ドラム３１に供給する現像ローラー３４Ｂと、磁気ローラー３４Ｃと、現像ハウジング３４Ａ内においてトナーを攪拌しつつ循環搬送する第１搬送スクリュー３４Ｄ及び第２搬送スクリュー３４Ｅと、を備える。
【００４３】
一次転写ローラー３５は、後述する中間転写ベルト４１を挟んで感光体ドラム３１と一次転写ニップ部を形成し、感光体ドラム３１の周面に形成されたトナー像を中間転写ベルト４１上に一次転写する。クリーニング装置３６は、中間転写ベルト４１にトナー像が一次転写された後、感光体ドラム３１の周面を清掃する。
【００４４】
転写部４０は、画像形成部３０により形成されたトナー像を、給紙部２０から送り出されるシートに転写する。転写部４０は、無端状のベルト状回転体からなる中間転写ベルト４１と、回転可能に支持された駆動ローラー４３及び従動ローラー４４と、を備える。中間転写ベルト４１は、感光体ドラム３１と一次転写ローラー３５とにより挟まれ、駆動ローラー４３及び従動ローラー４４に架け渡されている。
【００４５】
転写部４０は、駆動ローラー４３に対向して配置される二次転写ローラー４４をさらに備える。二次転写ローラー４４は、中間転写ベルト４１を挟んで駆動ローラー４３と二次転写ニップ部を形成する。中間転写ベルト４１上に一次転写されたトナー像は、給紙部２０から給紙されるシートに対して、当該二次転写ニップ部において二次転写される。
【００４６】
補給部５０は、画像形成部３０において用いられるトナーを貯留する部分である。補給部５０は、イエロー用トナーコンテナ５０Ｙと、マゼンダ用トナーコンテナ５０Ｍと、シアン用トナーコンテナ５０Ｃと、ブラック用トナーコンテナ５０Ｂｋと、を備える。各トナーコンテナ５０Ｙ，５０Ｍ，５０Ｃ，５０Ｂｋは、各画像形成ユニット３０Ｙ，３０Ｍ，３０Ｃ，３０Ｂｋの現像装置３４に各色のトナーを補給する。
【００４７】
定着部６０は、二次転写ニップ部においてシート上に二次転写されたトナー像の定着処理を行う。定着部６０は、加熱源（図示しない）を内部に備えた定着ローラー６１と、当該定着ローラー６１との間に定着ニップ部を形成する加圧ローラー６２と、を備える。トナー像が二次転写されたシートが当該定着ニップ部に通されることにより、トナー像は定着ローラー６１による加熱及び加圧ローラー６２による押圧によりシート上に定着される。
【００４８】
図２は、本実施形態に係る画像読取装置２の斜視図である。図３は、画像読取装置２の原稿載置面（載置面７０Ａ）の上面図である。図４は、画像読取装置２の原稿搬送部１６の断面図である。
【００４９】
図１および図２を参照して、画像読取装置２は、自動原稿搬送装置１Ａと、上部筐体１１内に配置された読取部３（第１読取部）と、を備える。図２に示すように、自動原稿搬送装置１Ａは、上下方向に所定の高さを備えた略直方体形状を備えている。自動原稿搬送装置１Ａは、後端側に配置された不図示の支点部を中心に、上部筐体１１に対して上下に回動可能とされる。自動原稿搬送装置１Ａは、原稿給紙トレイ１４（原稿載置部）と、原稿排紙トレイ１５（原稿排紙部）と、原稿搬送部１６とを備える。
【００５０】
原稿給紙トレイ１４は、自動原稿搬送装置１Ａの上方部分に配置される板状のトレイである。原稿給紙トレイ１４には、画像読取動作前の原稿シートが載置される。原稿排紙トレイ１５は、原稿給紙トレイ１４の下方に間隔をおいて配置された平面部である。原稿排紙トレイ１５には、後記の搬送原稿読取用ガラス７１（原稿読取位置）を通過した原稿シートが排出される。原稿搬送部１６は、自動原稿搬送装置１Ａの左側部に配置されている。原稿搬送部１６は、原稿給紙トレイ１４に載置された原稿シートを原稿排紙トレイ１５まで搬送する。
【００５１】
図３を参照して、画像読取装置２は、上部筐体１１の上面１１Ａに配置される固定原稿読取用ガラス７０、搬送原稿読取用ガラス７１及び原稿排出ガイド７２をさらに備える。
【００５２】
固定原稿読取用ガラス７０は、副走査方向Ｄ２に長手方向を有する長方形状を有し、原稿が載置される載置面７０Ａ（図３）を有する。搬送原稿読取用ガラス７１は、副走査方向Ｄ２に垂直な主走査方向Ｄ１に長手方向を有する長方形状を有し、固定原稿読取用ガラス７０の左側に隣接して配置される。原稿排出ガイド７２は、固定原稿読取用ガラス７０と搬送原稿読取用ガラス７１との間に配置される。
【００５３】
原稿シート（固定原稿）が手置きで設置される場合には、自動原稿搬送装置１Ａが上方に開かれ、載置面７０Ａ上に原稿シートが載置される。原稿シートは、プラテンマット（図示しない）や自動原稿搬送装置１Ａにより固定原稿読取用ガラス７０上に押し当てられて固定される。そして、固定原稿読取用ガラス７０の下方において、読取部３（図１）を副走査方向Ｄ２に走査させることにより原稿シートの画像データが読み取られる。
【００５４】
一方、原稿が自動搬送される場合には、図１および図２に示すように自動原稿搬送装置１Ａが上部筐体１１の上面１１Ａ上に配置され、原稿トレイ１５に原稿シートが載置される。また、不図示の駆動機構によって読取部３が移動され、搬送原稿読取用ガラス７１（図２）の下方において、読取部３が搬送原稿読取用ガラス７１に対向するように配置される。そして、原稿トレイ１５に載置された原稿シートが原稿搬送部１６によって搬送原稿読取用ガラス７１上を搬送されることにより、原稿シートの画像が読み取られる。このとき、読取部３は、原稿シートの表面（第１の面）の画像を読み取る。そして、読取後の原稿シートは原稿給紙トレイ１４に排出される。
【００５５】
図４を参照して、原稿搬送部１６は、ピックアップローラー８０１と、給紙ローラー８０２と、リタードローラー８０３と、上方白色基準部材８０４（第２白色基準部材）と、対向ガラス８０５と、裏面読取部８０６（第２読取部）と、第１従動ローラー８０７と、搬送ローラー８０８と、第２従動ローラー８０９と、白色ガイド部材８１０と、上方排出ガイド８１１と、下方排出ガイド８１２と、排出ローラー対８１３とを備える。また、原稿搬送部１６の内部には、原稿給紙トレイ１４から延設されるとともに、搬送原稿読取用ガラス７１を通過し、原稿排紙トレイ１５（図２）に至る原稿搬送路ＳＰ（シート搬送路）が配置されている。
【００５６】
ピックアップローラー８０１は、原稿給紙トレイ１４の左端部の上方に配置され、回転駆動されるローラーである。ピックアップローラー８０１は、原稿給紙トレイ１４上に載置された原稿シートを送り出す。給紙ローラー８０２は、ピックアップローラー８０１よりも原稿シートの搬送方向下流側に配置されている。給紙ローラー８０２は、回転駆動され、原稿シートを更に搬送する。リタードローラー８０３は、給紙ローラー８０２との間で原稿シートが通過する給紙ニップ部を形成する。リタードローラー８０３によって、原稿給紙トレイ１４に載置された原稿シートのうち、最も上方に位置する原稿シートが原稿搬送路ＳＰに搬入される。
【００５７】
上方白色基準部材８０４は、給紙ローラー８０２よりも搬送方向下流側で、原稿搬送路ＳＰの上方部分を画定している。上方白色基準部材８０４は、白色の樹脂材料からなる。上方白色基準部材８０４は、主走査方向（前後方向）に延びる板形状を備えるとともに、原稿搬送路ＳＰに対向する平面部を備えている。対向ガラス８０５は、上方白色基準部材８０４に対向するように、上方白色基準部材８０４の下方に配置されている。対向ガラス８０５は透明なガラス板である。対向ガラス８０５は、原稿搬送路ＳＰの下方部分を画定している。
【００５８】
裏面読取部８０６は、固定して配置されたコンタクトイメージセンサ（ＣＩＳ：Ｃｏｎｔａｃｔ  Ｉｍａｇｅ  Ｓｅｎｓｏｒ）である。裏面読取部８０６は、対向ガラス８０５を介して原稿搬送路ＳＰに対向して配置されている。裏面読取部８０６は、原稿搬送路ＳＰにおいて、搬送原稿読取用ガラス７１と原稿給紙トレイ１４との間に配置されている。裏面読取部８０６は、原稿シートの裏面（第２の面）の画像を読み取る。なお、上記の上方白色基準部材８０４は、透明な対向ガラス８０５を介して、裏面読取部８０６に対向して配置されている。
【００５９】
第１従動ローラー８０７は、上方白色基準部材８０４よりも搬送方向下流側で、原稿搬送路ＳＰに対向して配置されたローラーである。搬送ローラー８０８は、第１従動ローラー８０７の下方に配置されたローラーである。第２従動ローラー８０９は、搬送ローラー８０８の下方かつ左方に配置されたローラーである。図４に示すように、搬送ローラー８０８は、第１従動ローラー８０７およびに第２従動ローラー８０９よりも大きな直径を備えている。搬送ローラー８０８は、不図示の駆動機構によって回転駆動される。第１従動ローラー８０７および第２従動ローラー８０９は、搬送ローラー８０８に従動して回転される。搬送ローラー８０８の周面は原稿搬送路ＳＰの一部を画定している。原稿シートは、搬送ローラー８０８の周面に沿うように搬送されながら、搬送原稿読取用ガラス７１に至る。
【００６０】
白色ガイド部材８１０は、搬送原稿読取用ガラス７１に対向して配置されている。白色ガイド部材８１０は、原稿搬送路ＳＰの上方部分を画定する。一方、搬送原稿読取用ガラス７１は、原稿搬送路ＳＰの下方部分の一部を画定している。原稿シートが白色ガイド部材８１０と搬送原稿読取用ガラス７１との間を通過することで、原稿シートの表面の画像が読取部３によって読み取られる。前述の原稿排出ガイド７２は、搬送原稿読取用ガラス７１よりも搬送方向下流側に間隔をおいた位置で、原稿搬送路ＳＰの下方部分の一部を画定している。原稿シートを原稿排紙トレイ１５に向かって搬送するために、原稿排出ガイド７２は、右方に向かって先上がりの傾斜面を備えている。
【００６１】
原稿排出ガイド７２は、内部に下方白色基準部材７２Ａ（第１白色基準部材）を備えている。下方白色基準部材７２Ａは、白色の板状部材である。図５は、図４の原稿搬送部１６の下方白色基準部材７２Ａの周辺を拡大した断面図である。図４に示す状態から図５に示す状態のように、読取部３が僅かに右方に移動されると（図５の矢印参照）、下方白色基準部材７２Ａは、固定原稿読取用ガラス７０を挟んで読取部３に対向して配置される。そして、読取部３の読取光軸Ｌが下方白色基準部材７２Ａを通過しながら移動することで、下方白色基準部材７２Ａの白色部分が読取部３によって読み取られる。なお、読取部３は、読取部スライダ３Ｓを備える。読取部スライダ３Ｓは、読取部３から上方に向かって突設された突起である。読取部スライダ３Ｓが、搬送原稿読取用ガラス７１および固定原稿読取用ガラス７０に当接しながら移動されることで、読取部３がスムーズに移動される。また、読取部スライダ３Ｓによって、読取部３と固定原稿読取用ガラス７０および搬送原稿読取用ガラス７１との距離が一定に維持される。
【００６２】
上方排出ガイド８１１および下方排出ガイド８１２は、原稿排出ガイド７２よりも搬送方向下流側で、原稿搬送路ＳＰの上方部分および下方部分を画定するガイド部材である。排出ローラー対８１３は、原稿搬送路ＳＰの出口付近に配置されたローラー対である。排出ローラー対８１３によって、原稿シートが原稿排紙トレイ１５に排出される。
【００６３】
図６は、原稿搬送部１６の上方白色基準部材８０４の周辺の側面図である。図６は、上方白色基準部材８０４の周辺を原稿給紙トレイ１４側から原稿シートの搬送方向に沿うように見た図に相当する。前述のように、上方白色基準部材８０４と対向ガラス８０５との間に原稿搬送路ＳＰが形成されている。本実施形態では、図６の矢印に示すように、上方白色基準部材８０４が前後方向に移動可能とされている。上方白色基準部材８０４は、基準部材スライダ８０４Ｓを備える。基準部材スライダ８０４Ｓは、上方白色基準部材８０４の前後方向の両端部から下方に突設された突起である。基準部材スライダ８０４Ｓが対向ガラス８０５に当接することで、上方白色基準部材８０４の移動がスムーズに実現されるとともに、上方白色基準部材８０４と対向ガラス８０５との間に形成される原稿搬送路ＳＰの高さが一定に維持される。
【００６４】
また、裏面読取部８０６は、ＣＩＳ位置決め突起８０６Ｓを備える。ＣＩＳ位置決め突起８０６Ｓは、裏面読取部８０６の前後方向の両端部から上方に突設された突起である。ＣＩＳ位置決め突起８０６Ｓが対向ガラス８０５に当接することで、裏面読取部８０６と対向ガラス８０５との間の距離が一定に維持される。
【００６５】
図７は、画像読取装置２の原稿搬送部１６の上方白色基準部材８０４の移動機構の概略図である。図８は、画像読取装置２の電気的な構成を示すブロック図である。画像読取装置２は、更に、制御部９１（読取制御部）と、駆動モーター８１４と、第１クラッチ８１５と、カム８１６と、付勢ばね８１７と、第２クラッチ８１８と、立壁１６Ｈとを備える。
【００６６】
制御部９１は、読取部３および裏面読取部８０６を含む、画像読取装置２内の各部材を電気的に制御する。駆動モーター８１４は、上方白色基準部材８０４を移動させる駆動力を発生する。また、本実施形態では、駆動モーター８１４は、ピックアップローラー８０１、給紙ローラー８０２およびリタードローラー８０３を回転させるための駆動力を発生する。このため、駆動モーター８１４は、正逆回転可能とされている。第１クラッチ８１５は、駆動モーター８１４とカム８１６との間に配置されたクラッチである。本実施形態では、第１クラッチ８１５はワンウェイクラッチからなる。他の実施形態において、第１クラッチ８１５は、制御部９１によって制御される電磁クラッチでもよい。
【００６７】
カム８１６は、原稿搬送部１６内において回転可能に支持されている。カム８１６は、駆動モーター８１４が発生する回転駆動力によって回転される。カム８１６の周面は、上方白色基準部材８０４の後側の側壁（被押圧部８０４Ｈ）に当接する。付勢ばね８１７は、上方白色基準部材８０４の前側の側壁と、原稿搬送部１６の内部に配置された立壁１６Ｈとの間で圧縮されたばね部材である。付勢ばね８１７は、上方白色基準部材８０４を後方に向かって付勢している。第２クラッチ８１８は、駆動モーター８１４と、ピックアップローラー８０１、給紙ローラー８０２およびリタードローラー８０３との間に配置されたクラッチである。本実施形態では、第２クラッチ８１８はワンウェイクラッチからなる。他の実施形態において、第２クラッチ８１８は、制御部９１によって制御される電磁クラッチでもよい。なお、駆動モーター８１４、第１クラッチ８１５、カム８１６および付勢ばね８１７は、本実施形態の移動機構として機能する。移動機構は、裏面読取部８０６を、原稿シートの搬送方向と直交する主走査方向に移動させる。
【００６８】
図７を参照して、制御部９１によって、駆動モーター８１４が正回転されると、駆動モーター８１４の回転駆動力がピックアップローラー８０１、給紙ローラー８０２およびリタードローラー８０３に伝達され、これらのローラーが回転される。この結果、原稿給紙トレイ１４に載置された原稿シートが原稿搬送路ＳＰに搬入される。この際、第１クラッチ８１５の作用によって、駆動モーター８１４の回転駆動力はカム８１６に伝達されない。したがって、駆動モーター８１４が正回転された場合、上方白色基準部材８０４は移動しない。このため、上方白色基準部材８０４と対向ガラス８０５との間を原稿シートが安定して搬送される。また、上方白色基準部材８０４が固定されているため、裏面読取部８０６（図４）によって、原稿シートの裏面の画像が裏面読取部８０６によって安定して読み取られる。
【００６９】
一方、制御部９１によって、駆動モーター８１４が逆回転されると、駆動モーター８１４の回転駆動力がカム８１６に伝達され、上方白色基準部材８０４が前後方向に往復移動される。この結果、後記のとおり、裏面読取部８０６のシェーディング補正が実行可能とされる。この際、第２クラッチ８１８の作用によって、駆動モーター８１４の回転駆動力はピックアップローラー８０１などに伝達されない。したがって、裏面読取部８０６のシェーディング補正中に、誤って原稿シートが原稿搬送路ＳＰに搬入されることが防止される。
【００７０】
本実施形態では、裏面読取部８０６に対応する上方白色基準部材８０４が白色板からなるため、回転可能なローラーやベルト部材からなる白色基準部材と比較して、上方白色基準部材８０４が安価に構成される。また、ピックアップローラー８０１などの回転駆動力を発生する駆動モーター８１４によって、上方白色基準部材８０４が主走査方向に移動される。このため、上方白色基準部材８０４の移動用に専用の駆動モーターを備える必要がなく、上方白色基準部材８０４の移動が安価に実現される。
【００７１】
図８を参照して、読取部３は、裏面読取部８０６と同様のコンタクトイメージセンサ（ＣＩＳ）である。読取部３は、原稿シートに照射される光を発する光源４（第１光源）と、原稿シートからの反射光を集光するレンズ（図示しない）と、当該反射光を受光する受光部５と、読取部３を副走査方向Ｄ２（図３）において移動させる駆動部９と、を備える。読取部３は、上部筐体１１（図１）内において、固定原稿読取用ガラス７０及び搬送原稿読取用ガラス７１よりも下方に配置され、副走査方向Ｄ２に移動可能とされる。
【００７２】
光源４は、読取部３が原稿画像を読み取るために、原稿シートに照射される照射光を発光する。光源４は、複数のＬＥＤ（Ｌｉｇｈｔ  Ｅｍｉｔｔｉｎｇ  Ｄｉｏｄｅ）を含む光源であって、レッド（Ｒ）、グリーン（Ｇ）及びブルー（Ｂ）の三色の光を発する。光源４は、制御部９１によって制御されることにより、レッド、グリーン及びブルーのいずれか一色を選択的に発光する。なお、光源４はＬＥＤ光源に限られず、他の発光方式を用いたものでもよい。受光部５は、複数（例えば５０００個）の受光素子（画素）が、主走査方向Ｄ１（図２）に一次元に配列された１ラインセンサである。受光部５は、制御部９１により制御されることによって原稿シートからの反射光を受光素子において受光し、当該反射光を光電変換することにより画像データを形成する。
【００７３】
読取部３は、制御部９１によって制御されることにより、副走査方向Ｄ２に移動しつつ固定原稿読取用ガラス７０上に載置された原稿シートにレッド、グリーン及びブルーの各色の光を照射し、その反射光を受光することにより原稿シートをスキャンする。また読取部３は、制御部９１によって制御されることにより、搬送原稿読取用ガラス７１（原稿読取位置）上において原稿搬送部１６によって自動搬送される原稿シートに各色の光を照射し、その反射光を受光することにより原稿シートをスキャンする。
【００７４】
画像読取装置２では、受光部５の受光素子の感度ムラや光源４の光量ムラに関わらず均一な濃度で原稿画像を読み取るため、定期的に下方白色基準部材７２Ａ（図５）によって白色基準データが取得される（シェーディング補正）。
【００７５】
読取部３は、シェーディング補正時において、副走査方向Ｄ２に移動しつつ下方白色基準部材７２Ａにレッド、グリーン及びブルーの各色の光を照射し、その反射光を受光することにより下方白色基準部材７２Ａをスキャンする（読み取る）。そして、当該スキャンにより得られた複数のデータを平均化処理することにより、白色基準データが取得される。
【００７６】
詳しくは、下方白色基準部材７２Ａのスキャン時、読取部３は、副走査方向Ｄ２に１／３画素移動する毎に発光色（Ｒ，Ｇ，Ｂ）を切り替える。そして、下方白色基準部材７２Ａからの反射光は、１ラインセンサを構成する受光部５の各受光素子によって受光される。下方白色基準部材７２Ａに異色の異物が付着している場合には、異物の影響を受けて出力された異常な白色基準データが取り除かれることで、適切な白色基準データが取得される。
【００７７】
図８を参照して、画像読取装置２は、読取部３の動作を制御する制御部９１と、原稿の画像データ及び白色基準データを格納するメモリ部９２と、メモリ部９２に格納されたデータを処理する処理部９３と、をさらに備える。
【００７８】
制御部９１は、読取部３の光源４、受光部５及び駆動部９の各々と接続され、読取部３を制御する。駆動部９は、読取部３を移動させる駆動力を発生するモーターを含む。モーターの駆動力は、ギアやプーリー等の動力伝達機構を介して、読取部３へ伝達される。制御部９１は、読取部３が下方白色基準部材７２Ａに対して副走査方向Ｄ２に相対的に移動するように駆動部９を制御する。また制御部９１は、下方白色基準部材７２Ａ上の複数の読取位置の各々において、下方白色基準部材７２Ａに照射される光がレッド、グリーン及びブルーの三色の光に切り替わるように光源４を制御する。また制御部９１は、下方白色基準部材７２Ａに照射されたレッド、グリーン及びブルーの光の反射光を複数の受光素子の各々により受光させるように受光部５を制御する。
【００７９】
メモリ部９２は、受光部５及び処理部９３と接続されている。メモリ部９２は、原稿シートの画像データを格納するためのメモリ領域の他、白色基準データを格納するためのメモリ領域を有する。
【００８０】
処理部９３は、メモリ部９２と電気的に接続されている。処理部９３は、メモリ部９２のメモリ領域において白色基準データの並び替え等を行い、メモリ部９２に格納された白色基準データに含まれる異常データを特定する処理を行う。また処理部９３は、当該異常データを除外してメモリ領域の白色基準データから受光部５の画素毎に平均化した白色基準データを算出し、画素アドレスに関連付けた上で、メモリ部９２に格納する。
【００８１】
なお、前述の裏面読取部８０６も、読取部３と同様に、光源４（第２光源）（図８）と、受光部５とを備えている。裏面読取部８０６の光源４は、裏面読取部８０６が原稿画像を読み取るために、原稿シートに照射される照射光を発光する。また、裏面読取部８０６は、前述の制御部９１およびメモリ部９２に電気的に接続されている。制御部９１は、裏面読取部８０６を電気的に制御する。制御部９１は、裏面読取部８０６を制御して、原稿シートの裏面の画像を読み取る。裏面読取部８０６の画像動作時の制御部９１、メモリ部９２および処理部９３の機能は、読取部３の場合と同様である。また、制御部９１は、裏面読取部８０６および前述の移動機構を制御して、定期的に上方白色基準部材８０４の白色基準データを取得する（シェーディング補正）。この裏面読取部８０６のシェーディング補正において、移動機構が上方白色基準部材８０４を主走査方向に移動させながら、裏面読取部８０６が上方白色基準部材８０４をスキャンする。読取部３の場合と同様に、上方白色基準部材８０４に異色の異物が付着している場合には、異物の影響を受けて出力された異常な白色基準データが取り除かれることで、適切な白色基準データが取得される。
【００８２】
以上のように、本実施形態では、原稿シートが原稿搬送路ＳＰを１度通紙される間に、読取部３および裏面読取部８０６によって、原稿シートの表面および裏面の原稿画像を読み取ることができる。原稿給紙トレイ１４（図２）に複数枚の原稿シートがセットされた場合、すべての原稿シートの画像が読み取られるまでに相応の時間がかかる。この間に、読取部３や裏面読取部８０６の温度特性等により、読取画像濃度が変動する場合がある。特に、読取部３や裏面読取部８０６のようなＣＩＳでは、受光素子（センサ）が主走査方向に複数並設されている。このため、センサ毎に温度特性が異なり、原稿画像において部分的に濃度変動量が異なり、濃度ムラが現れやすい。このため、複数枚の原稿シートの連続読取動作の途中で、読取部３や裏面読取部８０６の白色基準データが再取得されることが望ましい。
【００８３】
本実施形態では、読取部３の原稿画像読取位置（搬送原稿読取用ガラス７１）と、白色基準取得位置（下方白色基準部材７２Ａ）が副走査方向において異なっている。このため、連続する原稿シート同士の間（いわゆる紙間）で白色基準データが再取得される時間が確保できない場合には、原稿シートの給紙を一旦中断する必要がある。また、原稿シートの紙間で裏面読取部８０６の白色基準データを取得しようとすると、原稿シートの搬送中に上方白色基準部材８０４が揺動され、原稿シートの画像が歪んで読み取られてしまう。このため、裏面読取部８０６の白色基準データの再取得時にも、原稿シートの給紙が一旦中断される必要がある。しかしながら、このように原稿シートの給紙が頻繁に中断されながら、原稿シートの画像が読み取られると画像読取装置２の読取生産性が大きく低下してしまう。本実施形態では、このような課題を解決するために、制御部９１が読取部３および裏面読取部８０６の白色基準データの取得を含むシェーディング補正を好適なタイミングで実行する。図９は、本実施形態に係る画像読取装置２において実行されるシェーディング補正動作のフローチャートである。
【００８４】
図９を参照して、画像読取装置２において、原稿シートの読取動作が要求されると（ステップＳ１）、制御部９１は、読取部３のシェーディング補正を実行する（ステップＳ２）。この際、前述のように、読取部３が原稿排出ガイド７２の下方に配置された後、読取部３が副走査方向に移動されながら、下方白色基準部材７２Ａが読取部３によって読み取られる。その後、制御部９１は、要求された読取動作が両面読取および片面読取のいずれであるかを判断する（ステップＳ３）。ここで、読取動作が両面読取の場合（ステップＳ３でＹＥＳ）には、制御部９１は、上方白色基準部材８０４を主走査方向に移動させながら裏面読取部８０６によって上方白色基準部材８０４を読み取らせることによって、裏面読取部８０６のシェーディング補正を実行する（ステップＳ４）。その後、制御部９１は、ピックアップローラー８０１などを回転させることで、１枚目の原稿シート（第１の原稿シート）を原稿搬送路ＳＰに搬入させ（ステップＳ５）、裏面読取部８０６および読取部３によって原稿シートの両面画像読取を実行する（ステップＳ６）。一方、読取動作が片面読取の場合（ステップＳ３でＮＯ）には、制御部９１は、裏面読取部８０６のシェーディング補正を実行することなく、原稿シートを原稿搬送路ＳＰに搬入させる（ステップＳ５）。
【００８５】
１枚目の原稿シートの読取動作が完了すると、制御部９１は、要求されたすべての原稿シートの読取動作が終了したか、すなわち、読取ＪＯＢが完了したかを判断する（ステップＳ７）。すべての原稿シートの読取動作が終了している場合（ステップＳ７でＹＥＳ）には、制御部９１は一連の画像読取動作を終了する（ステップＳ８）。一方、未だ読取動作が必要な原稿シートが原稿給紙トレイ１４上に残っている場合、すなわち、読取ＪＯＢが終了していない場合（ステップＳ７でＮＯ）、制御部９１は、シェーディング補正判断動作を実行する（ステップＳ９）。シェーディング補正判断動作とは、複数枚の原稿シートに対して読取が実行される連続読取時において、第１の原稿シートの画像読取動作と第１の原稿シートに続く第２の原稿シートの画像読取動作との間で、制御部９１が、読取部３または裏面読取部８０６のシェーディング補正の要否を判断する動作である。この際、制御部９１は、読取部３および裏面読取部８０６の一方のシェーディング補正の要否を判断してもよいし、読取部３および裏面読取部８０６の両方のシェーディング補正の要否を判断してもよい。
【００８６】
シェーディング補正要否判断（ステップＳ９）では、読取部３または裏面読取部８０６が紙間において白色ガイド部材８１０または上方白色基準部材８０４を読み取った際に出力する第１出力値（白色読取レベル）が、予め設定された閾値を超えている場合に、読取部３または裏面読取部８０６のシェーディング補正が必要と判断される。なお、他の実施形態において、紙間において読取部３または裏面読取部８０６に対応する光源４（第１光源または第２光源）が消灯された際に読取部３または裏面読取部８０６が出力する第２出力値（黒色読取レベル）が、予め設定された閾値を超えている場合に、読取部３または裏面読取部８０６のシェーディング補正が必要と判断されてもよい。
【００８７】
なお、シェーディング補正要否判断において参照される紙間の白色基準データの取得タイミングは、画像読取装置２の画像読取モードに応じて設定されることが望ましい。そして、原稿シートの画像読取動作が、予め定められた閾値枚数に対して実行されると、紙間の白色基準データが取得される。この結果、画像読取装置２の温度が変化した場合でも、安定した読取画像を取得することができる。特に、読取部３または裏面読取部８０６においてカラー画像が読み取られる場合の閾値枚数は、白黒画像が読み取られる場合の閾値枚数よりも小さく設定されている。この結果、カラー画像の場合には、白色基準データの取得頻度が増し、より安定したシェーディング補正が実行される。また、読取部３または裏面読取部８０６において第１の解像度（６００ｄｐｉ）で画像が読み取られる場合の閾値枚数は、第１の解像度よりも小さな第２の解像度（３００ｄｐｉ）で画像が読み取られる場合の閾値枚数よりも小さく設定されている。この結果、高解像度の場合には、白色基準データの取得頻度が増し、より安定したシェーディング補正が実行される。このように、本実施形態では、白色読取レベルまたは黒色読取レベルの変動に基づいて、シェーディング補正の要否が判断される。
【００８８】
図９を参照して、読取部３または裏面読取部８０６において、再度のシェーディング補正が必要と判断された場合（ステップＳ９でＹＥＳ）、制御部９１は、１枚目の原稿シートに続く２枚目の原稿シート（第２の原稿シート）の給紙を一旦中断する（ステップＳ１０）。そして、制御部９１は、読取部３のシェーディング補正を再度実行する（ステップＳ２）。複数枚の原稿シートに対して両面読取動作が実行されている（ステップＳ３でＹＥＳ）場合、制御部９１は、裏面読取部８０６のシェーディング補正を再度実行する（ステップＳ４）。この場合、実際には、読取部３および裏面読取部８０６のシェーディング補正はほぼ平行して実行される。その後、制御部９１は、第２の原稿シートの搬送を開始し（ステップＳ５）、読取動作が実行される（ステップＳ６）。以後の原稿シートに対しても同様の制御が実行される。
【００８９】
以上のように、本実施形態では、制御部９１は、原稿シートの表面および裏面の画像が読み取られる両面読取時には、原稿シートが原稿搬送路ＳＰに搬入される前に、読取部３および裏面読取部８０６によって下方白色基準部材７２Ａおよび上方白色基準部材８０４を読み取らせることによって、読取部３および裏面読取部８０６のシェーディング補正を実行する。一方、原稿シートの表面の画像のみが読み取られる片面読取時には、原稿シートが原稿搬送路ＳＰに搬入される前に、裏面読取部８０６のシェーディング補正を実行することなく、読取部３によって下方白色基準部材７２Ａを読み取らせることによって、読取部３のシェーディング補正を実行する。このように、画像読取動作に応じて、読取部３および裏面読取部８０６のシェーディング補正が実行されるため、連続読取動作の読取生産性が低下することが抑止される。特に、読取動作要求がなされると、速やかに表面の画像読取に供される読取部３のシェーディング補正が実行される。そして、読取動作が両面および片面のうちの何れであるかが判断されると、必要に応じて裏面読取部８０６のシェーディング補正が実行される。この結果、連続読取動作の読取生産性が低下することが更に抑止される。
【００９０】
また、本実施形態では、読取部３および裏面読取部８０６のいずれかの読取部においてシェーディング補正が必要と判断された場合には、第２の原稿シートの搬入が中断された時間を利用して、読取部３および裏面読取部８０６の両方のシェーディング補正が実行される。このため、画像読取装置の読取生産性が低下することが抑止されながら、読取品質が安定して維持される。
【００９１】
また、本実施形態では、制御部９１は、連続両面読取時において、原稿シートの画像読取動作が予め定められた閾値枚数に対して実行されると、シェーディング補正判断動作を実行する。このため、読取部３または裏面読取部８０６の温度特性によって、読取画像に欠陥が生じることが防止される。この結果、画像読取装置２の読取生産性と読取画像の品質とを安定して維持することができる。
【符号の説明】
【００９２】
１  画像形成装置
１０  主筐体
１１  上部筐体
１１Ａ  上面
１２  下部筐体
１３  連結筐体
１４  原稿給紙トレイ（原稿載置部）
１５  原稿排紙トレイ（原稿排紙部）
１６  原稿搬送部
１６Ｈ  立壁
１Ａ  自動原稿搬送装置
２  画像読取装置
３  読取部（第１読取部）
４  光源（第１光源、第２光源）
５  受光部
７０  固定原稿読取用ガラス
７１  搬送原稿読取用ガラス
７２  原稿排出ガイド
７２Ａ  下方白色基準部材（第１白色基準部材）
８０４  上方白色基準部材（第２白色基準部材）
８０４Ｈ  被押圧部
８０５  対向ガラス
８０６  裏面読取部（第２読取部）
８１０  白色ガイド部材
８１４  駆動モーター
８１５  第１クラッチ
８１６  カム
８１７  付勢ばね
８１８  第２クラッチ
９  駆動部
９１  制御部（読取制御部）
９２  メモリ部
９３  処理部
Ｌ  読取光軸
ＳＰ  原稿搬送路（シート搬送路）
【図１】
0006354664.tif 000002
【図２】
0006354664.tif 000003
【図３】
0006354664.tif 000004
【図４】
0006354664.tif 000005
【図５】
0006354664.tif 000006
【図６】
0006354664.tif 000007
【図７】
0006354664.tif 000008
【図８】
0006354664.tif 000009
【図９】
0006354664.tif 000010